(57)【要約】ラジオ等の通話機能とは異なる他の機能を搭載する携帯電話であって、他の機能を実行する通話外機能部（ラジオ機能部）と、他の機能の実行中にタイマーを動作させ、所定時間が経過したことが当該タイマーにより示されるときに、通話外機能の実行を自動的に停止させるオートパワーオフ制御部と、通話機能を実行する電話機能部と、通話機能に関する所定の動作が実行される毎にタイマーを初期状態にリセットするリセット部とを備え、利用者がラジオを聞いている最中等の通話機能とは異なる他の機能の実行中に不本意にオートパワーオフされる事態を減らす。
2005034484.tif 000002
【特許請求の範囲】
【請求項１】
通話機能とは異なる他の機能を搭載する携帯電話であって、以下を備える：
・通話外手段、
前記他の機能を実行する；
・オートパワーオフ手段、
前記他の機能の実行中にタイマーを動作させ、所定時間が経過したことが当該タイマーにより示されるときに、当該他の機能の実行を自動的に停止させる；
・通話手段、
前記通話機能を実行する；
・リセット手段、
前記通話機能に関する所定の動作が実行される毎に、前記タイマーを初期状態にリセットする。
【請求項２】
クレーム１において、
前記リセット手段は、
通話終了時に、前記タイマーを初期状態にリセットする。
【請求項３】
クレーム２において、
前記通話手段は、
通話終了時に電話回線から出される送信通話断信号を受信したときに、通話機能の実行を停止させ、
前記リセット手段は、
前記送信通話断信号が受信され前記通話機能の実行が停止されたときに、前記タイマーを初期状態にリセットする。
【請求項４】
クレーム１において、
前記リセット手段は、
フリップ、又は、スライド開閉時に、前記タイマーを初期状態にリセットする。
【請求項５】
クレーム１において、
前記リセット手段は、さらに、
前記通話外手段に関する所定の動作が実行される毎に、前記タイマーを初期状態にリセットする。
【請求項６】
クレーム１において、
当該携帯電話は、さらに、以下を備える：
・アプリケーション手段、
前記通話外手段、及び、前記通話手段とは異なる他のアプリケーションを実行する、
前記リセット手段は、さらに、
前記アプリケーション手段に関する所定の動作が実行される毎に、前記タイマーを初期状態にリセットする。
【請求項７】
クレーム１において、
前記リセット手段は、
利用者により特定のキーが押下される毎に、前記タイマーを初期状態にリセットする。
【請求項８】
クレーム１において、
当該携帯電話は、さらに、以下を備える：
・アラーム手段、
利用者によりアラーム設定がなされている場合に、アラーム機能を実行する；
前記リセット手段は、さらに、
前記アラーム設定がなされている場合には、前記タイマーを初期状態にリセットすることを禁止する。
【請求項９】
クレーム１において、
当該携帯電話は、さらに、以下を備える：
・アラーム手段、
利用者によりアラーム設定がなされている場合に、アラーム機能を実行する；
前記オートパワーオフ手段は、
利用者によりオートパワーオフ設定がなされている場合に、前記他の機能の実行を自動的に停止させ、さらに、
利用者によりオートパワーオフ設定がなされていない場合であっても、前記アラーム設定がなされている場合には、前記他の機能の実行を自動的に停止させる
【請求項１０】
クレーム１において、
前記他の機能は、
デジタルカメラ、インターネット接続、音楽再生、ラジオ、及び、テレビの何れかの機能である。
【請求項１１】
通話機能とは異なる他の機能を搭載する携帯電話において、当該他の機能の実行を自動的に停止させる自動停止方法であって、以下のステップを含む：
・判断ステップ、
前記他の機能の実行中にタイマーを動作させ、当該タイマーにより所定時間が経過したか否かを判断する；
・リセットステップ、
前記通話機能に関する所定の動作が実行される毎に、前記タイマーを初期状態にリセットする；
・オートパワーオフステップ
判断ステップにより所定時間が経過したと判断されたときに、前記他の機能の実行を自動的に停止させる。
【発明の詳細な説明】
【技術分野】  本発明は、ラジオ等の通話以外の他の機能が付いた携帯電話に関し、特に、他の機能を自動停止する際の制御技術に関する。
【背景技術】  近年、携帯電話の普及はめざましく、通話機能とは異なる他の機能を備える機種が続々と登場している。
ここで通話機能とは異なる他の機能とは、例えば、デジタルカメラ、インターネット接続、音楽再生、ラジオ、及び、テレビ等である。
一方、多くの携帯電話は電池容量に限度があるので、電池を長持ちさせる為に、ＬＣＤ表示用のバックライトや光るテンキー用の照明等の常時実行する必要のない機能は、利用者によるＬＣＤ表示変更やテンキー使用等に起因した機能の実行直後にタイマーを起動し、数秒から数十秒程度の所定時間経過後に自動的に機能を終了させている。
また例えばラジオ付き携帯電話において、利用者がラジオを聞きながら寝てしまったりラジオを切り忘れたりすることにより、電池が無駄に消費され早く切れてしまうという事態を防ぐために、ラジオ機能の実行から所定時間後に自動的にラジオの電源を切るオートパワーオフ制御を行うことが望ましい。
ここで、携帯型の音楽再生機器の機能を携帯電話で実現した携帯電話機が特許公開２００２−１０１１６４号に公開されている。
しかしながら、利用者がラジオを聞いている最中にもかかわらず、ラジオ機能の実行から所定時間が経過してしまったからといってオートパワーオフされるのは利用者にとって不本意な事態であり、利用者は所定時間毎に電源を入れ直さなければならず甚だ面倒である。
そこで、本発明は、利用者がラジオを聞いている最中等の通話機能とは異なる他の機能の実行中に不本意にオートパワーオフされる事態を減らすことができる携帯電話、及び、自動停止方法を提供することを目的とする。
【発明の開示】
上記目的を達成するために、本発明に係る携帯電話は、通話機能とは異なる他の機能を搭載する携帯電話であって、前記他の機能を実行する通話外手段と、前記他の機能の実行中にタイマーを動作させ所定時間が経過したことが当該タイマーにより示されるときに当該他の機能の実行を自動的に停止させるオートパワーオフ手段と、通話機能を実行する通話手段と、前記通話機能に関する所定の動作が実行される毎に前記タイマーを初期状態にリセットするリセット手段とを備えることを特徴とする。
上記目的を達成するために、本発明に係る自動停止方法は、通話機能とは異なる他の機能を搭載する携帯電話において当該他の機能の実行を自動的に停止させる自動停止方法であって、前記受信再生機能の実行中にタイマーを動作させ当該タイマーにより所定時間が経過したか否かを判断する判断ステップと、通話機能に関する所定の動作が実行される毎に前記タイマーを初期状態にリセットするリセットステップと、判断ステップにより所定時間が経過したと判断されたときに前記他の機能の実行を自動的に停止させるオートパワーオフステップとを含むことを特徴とする。
これらにより、通話機能に関する所定の動作が実行される毎に、ラジオ機能等の他の機能のオートパワーオフに用いるタイマーを初期状態にリセットすることができるので、利用者がラジオを聞いている最中等の通話機能とは異なる他の機能の実行中にもかかわらず不本意にオートパワーオフされる事態を減らすことができる。
また、携帯電話において、前記リセット手段は通話終了時に前記タイマーを初期状態にリセットすることを特徴とすることもできる。
これにより、通話終了時にタイマーを初期状態にリセットすることができるので、所定時間の計測を通話終了時からやり直すことができる。
また、携帯電話において、前記通話手段は通話終了時に電話回線から出される送信通話断信号を受信したときに通話機能の実行を停止させ、前記リセット手段は前記送信通話断信号が受信され前記通話機能の実行が停止されたときに前記タイマーを初期状態にリセットすることを特徴とすることもできる。
これにより、送信通話断信号を受信したときにタイマーを初期状態にリセットすることができるので、利用者の操作がなくても所定時間の計測を通話終了時からやり直すことができる。
また、携帯電話において、前記リセット手段はフリップ又はスライド開閉時に前記タイマーを初期状態にリセットすることを特徴とすることもできる。
これにより、フリップ又はスライド開閉時にタイマーを初期状態にリセットすることができるので、所定時間の計測を開閉時からやり直すことができる。
また、携帯電話において、前記リセット手段は、さらに、前記通話外手段に関する所定の動作が実行される毎に前記タイマーを初期状態にリセットすることを特徴とすることもできる。
これにより、通話外手段に関する所定の動作が実行される毎にタイマーを初期状態にリセットすることができるので、所定時間の計測をラジオの音量操作やチャンネル変更等の通話外手段に関する所定の動作時からやり直すことができる。
また、当該携帯電話は、さらに、前記通話外手段及び前記通話手段とは異なる他のアプリケーションを実行するアプリケーション手段を備え、前記リセット手段は、さらに、前記アプリケーション手段に関する所定の動作が実行される毎に前記タイマーを初期状態にリセットすることを特徴とすることもできる。
これにより、他のアプリケーションに関する所定の動作が実行される毎にタイマーを初期状態にリセットすることができるので、所定時間の計測を他のアプリケーションのレジューム時やサスペンド時等の他のアプリケーションに関する所定の動作時からやり直すことができる。
また、携帯電話において、前記リセット手段は利用者により特定のキーが押下される毎に前記タイマーを初期状態にリセットすることを特徴とすることもできる。
これにより、利用者により特定のキーが押下される毎にタイマーを初期状態にリセットすることができるので、所定時間の計測をサイドキーの長押し等の特定のキーが押下されてからやり直すことができる。
また、当該携帯電話は、さらに、利用者によりアラーム設定がなされている場合にアラーム機能を実行するアラーム手段を備え、前記リセット手段は、さらに、前記アラーム設定がなされている場合には前記タイマーを初期状態にリセットすることを禁止することを特徴とすることもできる。
これにより、アラームをかけているときにはタイマーを初期状態にリセットしないので、電池が無くなってアラームが効かなくなる事態を避けることができる。
また、当該携帯電話は、さらに、利用者によりアラーム設定がなされている場合にアラーム機能を実行するアラーム手段を備え、前記オートパワーオフ手段は利用者によりオートパワーオフ設定がなされている場合に前記他の機能の実行を自動的に停止させ、さらに、利用者によりオートパワーオフ設定がなされていない場合であっても前記アラーム設定がなされている場合には前記他の機能の実行を自動的に停止させることを特徴とすることもできる。
これにより、アラームをかけているときにはオートパワーオフを必ず実行することができるので、電池が無くなってアラームが効かなくなる事態を避けることができる。
また、携帯電話において、前記他の機能は、デジタルカメラ、インターネット接続、音楽再生、ラジオ、及び、テレビの何れかの機能とすることもできる。
これにより、通話機能に関する所定の動作が実行される毎に、デジタルカメラ、インターネット接続、音楽再生、ラジオ、及び、テレビの何れかの機能のオートパワーオフに用いるタイマーを初期状態にリセットすることができるので、デジタルカメラを使用している最中、インターネット接続中、音楽再生中、ラジオを聞いている最中、又はテレビを見ている最中にもかかわらず不本意にオートパワーオフされる事態を減らすことができる。
【図面の簡単な説明】  図１は、発明の実施１の形態における携帯電話の概略を示す図である。
図２は、本発明の実施の形態１における携帯電話１のオートパワーオフ制御の手順を示す図である。
【発明を実施するための最良の形態】  （実施の形態１）
＜構成＞
図１は、発明の実施１の形態における携帯電話の概略を示す図である。
図１に示すように、実施の形態１の携帯電話は、設定受付け部１１、設定保持部１２、電話機能部１３、ラジオ機能部１４、アラーム機能部１５、オートパワーオフ制御部１６、及び、リセット部１７を備える。
設定受付け部１１は、アラーム及びオートパワーオフに関する各設定を利用者から受付ける。例えば、設定受付け部１１は、アラーム時刻、アラーム音量、アラーム音色、アラームを有効にするか無効にするか、オートパワーオフ時間、オートパワーオフを有効にするか無効にするか等の設定を利用者から受付ける。
設定保持部１２は、設定受付け部１１により受付けられた設定を保持する。
電話機能部１３は、利用者の指示に従い通話機能を実行する。
ラジオ機能部１４は、ＦＭラジオ機能を実行するものであり、利用者の指示に従い、電話機能部１３による通話機能が実行されていないときにＦＭラジオを受信して音声を再生する。
アラーム機能部１５は、設定保持部１２によりアラームを有効にする設定が保持されている場合に、設定保持部１２により保持されているアラーム時刻にアラーム音を鳴らす。
オートパワーオフ制御部１６は、設定保持部１２によりオートパワーオフを有効にする設定が保持されている場合には、ＦＭラジオ機能の実行中に内蔵タイマーを動作させ、所定時間が経過したことが当該内蔵タイマーにより示されるときに、当該ＦＭラジオ機能の実行を自動的に停止させる。
またオートパワーオフ制御部１６は、電池が無くなってアラームが効かなくなる事態を避ける為に、設定保持部１２によりオートパワーオフを無効にする設定が保持されていてもアラームを有効にする設定が保持されている場合には、ＦＭラジオ機能の実行中に内蔵タイマーを動作させ、所定時間が経過したことが当該内蔵タイマーにより示されるときに、当該ＦＭラジオ機能の実行を自動的に停止させる。
ここでは、オートパワーオフ制御部１６は、標準設定時におけるオートパワーオフ時間を２時間とし、内蔵タイマーにより２時間がカウントされるものとする。
リセット部１７は、通話機能に関する所定の動作が実行される毎、ＦＭラジオ機能に関する所定の動作が実行される毎、及び、他のアプリケーションに関する所定の動作が実行される毎、及び、特定のキーが押下される毎に内蔵タイマーを初期状態にリセットする。
ここで、通話機能に関する所定の動作とは、電話回線から出される送信通話断信号を受信したり通話終了ボタンが押下されることによる通話終了時、フリップ式におけるフリップ開閉時、スライド式におけるスライド開閉時、及び、通話に関する設定変更等である。
また、ＦＭラジオ機能に関する所定の動作とは、チャンネル変更、及び、音量操作等である。
また、他のアプリケーションに関する所定の動作とは、アプリケーションのレジューム（Ｒｅｓｕｍｅ）時、アプリケーションのサスペンド（Ｓｕｓｐｅｎｄ）時、アプリケーション内の設定変更等であり、例えば、アラームのアプリケーションにおいては、アラーム時刻、アラーム音量、アラーム音色、及び、アラームを有効にするか無効にするか等である。
また、特定のキーの押下とは、例えばサイドキーの長押し等である。
なお、リセット部１７は、設定保持部１２によりアラームを有効にする設定が保持されている場合には、電池が無くなってアラームが効かなくなる事態を避ける為に、タイマーを初期状態にリセットすることを禁止する。
＜動作＞
図２は、本発明の実施の形態１における携帯電話１のオートパワーオフ制御の手順を示す図である。
以下に、図２を用いてのオートパワーオフ制御の手順を説明する。
（１）オートパワーオフ制御部１６が、設定保持部１２にオートパワーオフを有効にする設定が保持されているかを判断する（ステップＳ１）。
（２）オートパワーオフを有効にする設定が保持されていない場合は、オートパワーオフ制御部１６が、設定保持部１２にアラームを有効にする設定が保持されているかを判断する（ステップＳ２）。
（３）オートパワーオフを有効にする設定が保持されている場合、及び、アラームを有効にする設定が保持されている場合には、ラジオ機能部１４によりＦＭラジオ機能が実行されるまで待つ（ステップＳ３）。
（４）ＦＭラジオ機能が実行された場合には、オートパワーオフ制御部１６が内蔵タイマーに２時間分に相当するカウンタ値を上書きすることにより、内蔵タイマーを初期状態にリセットし、内蔵タイマーの動作を開始する（ステップＳ４）。
（５）オートパワーオフ制御部１６が、電話機能部１３により通話機能が実行され、ＦＭラジオ機能の実行が一時休止されたかを判断する（ステップＳ５）。
（６）通話機能が実行され、ＦＭラジオ機能の実行が一時休止された場合には、オートパワーオフ制御部１６が、内蔵タイマーを一時停止する（ステップＳ６）。
（７）オートパワーオフ制御部１６が、通話機能の実行が終了しＦＭラジオ機能の実行が再開するまで待つ（ステップＳ７）。
（８）通話機能の実行が終了しＦＭラジオ機能の実行が再開した場合には、オートパワーオフ制御部１６が、内蔵タイマーの動作を再開する（ステップＳ８）。
（９）オートパワーオフ制御部１６が、通話機能の実行の指示を除く通話機能に関する所定の動作が実行されたか否かを判断する（ステップＳ９）。
（１０）オートパワーオフ制御部１６が、ＦＭラジオ機能に関する所定の動作が実行されたか否かを判断する（ステップＳ１０）。
（１１）オートパワーオフ制御部１６が、通話機能及びＦＭラジオ機能とは異なる他のアプリケーションの機能に関する所定の動作が実行されたか否かを判断する（ステップＳ１１）。
（１２）オートパワーオフ制御部１６が、特定のキーが押下されたか否かを判断する（ステップＳ１２）。
（１３）通話機能に関する所定の動作が実行された場合、ＦＭラジオ機能に関する所定の動作が実行された場合、ＦＭラジオ機能に関する所定の動作が実行された場合、及び、特定のキーが押下された場合には、オートパワーオフ制御部１６が、設定保持部１２にアラームを有効にする設定が保持されているか否かを判断する（ステップＳ１３）。
（１４）アラームを有効にする設定が保持されていない場合には、リセット部１７がオートパワーオフ制御部１６の内蔵タイマーを初期状態にリセットする（ステップＳ１４）。
（１５）オートパワーオフ制御部１６が、設定保持部１２にオートパワーオフを有効にする設定が保持されているか否かを判断する（ステップＳ１５）。
（１６）オートパワーオフを有効にする設定が保持されていない場合は、オートパワーオフ制御部１６が、設定保持部１２にアラームを有効にする設定が保持されているかを判断する（ステップＳ１６）。
（１７）オートパワーオフを有効にする設定が保持されている場合、及び、アラームを有効にする設定が保持されている場合には、オートパワーオフ制御部１６が、所定時間が経過したことが内蔵タイマーにより示されるか否かを判断する（ステップＳ１７）。
（１８）オートパワーオフ制御部１６が、ラジオ機能の終了が指示されたか否かを判断する（ステップＳ１８）。
（１９）所定時間が経過した場合、及び、ラジオ機能の終了が指示された場合には、オートパワーオフ制御部１６が、ラジオ機能の実行を停止させる（ステップＳ１９）。
＜まとめ＞
以上のように、本発明の実施の形態１では、通話機能に関する所定の動作が実行される毎、ＦＭラジオ機能に関する所定の動作が実行される毎、他のアプリケーションの機能に関する所定の動作が実行される毎、及び、特定のキーが押下される毎に、ＦＭラジオ機能のオートパワーオフに用いるタイマーを初期状態にリセットすることができるので、利用者がラジオを聞いている最中にもかかわらず不本意にオートパワーオフされる事態を減らすことができる。
【産業上の利用可能性】  本発明は、ＦＭラジオ付き携帯電話に適用することができる。本発明によって、利用者がラジオを聞いている最中にもかかわらず不本意にオートパワーオフされる事態を減らすことができ、利用者は従来よりもより快適にＦＭラジオを聞くことができる。
また、ＦＭラジオ付き携帯電話だけでなく、通話機能とは異なる他のあらゆる機能を搭載する携帯電話に適用することができる。
ここで通話機能とは異なる他の機能とは、例えば、デジタルカメラ、インターネット接続、音楽再生、ラジオ、及び、テレビ等である。
【図１】
2005034484.tif 000003
【図２】
2005034484.tif 000004
【国際調査報告】
2005034484.tif 000005
2005034484.tif 000006
2005034484.tif 000007
2005034484.tif 000008